(57)【要約】【課題】ＣＲＴを表示デバイスとして用いた表示装置において管内放電によるサージの影響で電子回路が誤動作したり破壊したりするのを防止する。【解決手段】ＣＲＴ１０１および放電ギャップ付ＣＲＴソケット１０８および外部回路１１０および２種類のＣＲＴ接地線１０４、１０５から構成され、従来の第１のグリッド（コントロールグリッド）１０７や外部回路１１０のＧＮＤを接続し、ＣＲＴ１０１のＧＮＤである外部導電膜に接続しているＣＲＴ接地線とは別に、放電ギャップ１０９のＧＮＤを他のＧＮＤに一切接続せずに単独でＣＲＴ１０１の外部導電膜に別のＣＲＴ接地線で接続する構成にすることにより、管内放電のサージ電流の影響を外部回路にほとんど与えることなくＣＲＴＧＮＤにサージ電流を返すことができる。【選択図】図１
2005057636.tif 000002
【特許請求の範囲】
【請求項１】
ＣＲＴを表示デバイスとして用いた表示装置において、前記ＣＲＴと放電ギャップ付ＣＲＴソケットと外部回路と２種類のＣＲＴ接地線とを備え、従来の第１のグリッド（コントロールグリッド）や外部回路のＧＮＤを接続しＣＲＴのＧＮＤである外部導電膜に接続しているＣＲＴ接地線とは別に放電ギャップのＧＮＤを他のＧＮＤに一切接続せずに単独でＣＲＴの外部導電膜に別のＣＲＴ接地線で接続することを特徴とする表示装置。
【発明の詳細な説明】
【技術分野】
【０００１】
本発明は陰極線管（以下、ＣＲＴと記す）を表示デバイスとする表示装置に関するものである。
【０００２】
特に本発明はＣＲＴ特有の高圧による管内放電により電子回路が誤動作や破壊することを防止する方法に関するものである。
【背景技術】
【０００３】
ＣＲＴはアノードに数十ｋＶもの高圧を印加するためフォーカスやスクリーングリッド等電子銃においてアノードに近い位置に配置された電極に対して放電が生じることがある。その際、通常はＣＲＴソケット内の放電ギャップで放電し、ＣＲＴ接地線でＣＲＴに放電電流が流れて、映像信号を処理する回路またはＣＲＴの駆動のための回路を含む外部回路には影響を与えないが、実際には１００％ＣＲＴ接地線だけに放電電流が流れるわけではなく、外部回路にも放電電流が流れ、その結果、外部回路に誤動作や破壊を引き起こすことがあった。
【０００４】
それに対して従来は、特許文献１や特許文献２のように、管内放電が発生したことを検出し装置が誤動作や破壊から守られるように動作を停止したり電源をオフしたりすることを特徴とした対策が行われていた。
【０００５】
また、根本的に管内放電によるサージ電流が外部回路に影響を与えないようにする手法として、図２のようにＣＲＴソケット内に放電ギャップを設け、そこで放電した放電電流を、接地線を通してＣＲＴ外部導電膜に流すという方法を行ってきた。ここで図２を用いて従来の技術を詳細に説明する。
【０００６】
従来のＣＲＴ表示装置においては、ＣＲＴ２０１及びＣＲＴソケット２０８および外部回路２１０および接地線２０４から構成され、ＣＲＴ２０１はアノード２０２、外部導電膜２０３、第１のグリッド２０７、第１のグリッド２０７以外のグリッド（以下、第２のグリッドと記す）２０６から構成され、ＣＲＴソケット２０８は放電ギャップ２０９を有している。また、第１のグリッド２０７および外部回路２１０、放電ギャップ２０９は接地線２０４によりＣＲＴＧＮＤである外部導電膜に接続される。
【０００７】
次にその動作を説明する。ＣＲＴ２０１の外部導電膜２０３とアノード２０２との間の容量に充電した高圧が、アノード２０２から第２のグリッド２０６に対して放電し、その電流がＣＲＴソケット２０８の放電ギャップ２０９で放電した後、接地線２０４を通ってＣＲＴ２０１の外部導電膜２０３に流れる。このようにして放電により発生したサージ電流は速やかに放電元であるＣＲＴ２０１に返るように構成されているが、接地線２０４のインピーダンスが０ではないので、第１のグリッド２０７および放電ギャップ２０９及び外部回路２１０のＧＮＤの電圧が変動し、外部回路２１０の誤動作や破壊を招くことがあった。
【特許文献１】特開２０００−３５００５１号公報
【特許文献２】特開平１１−２８４８７５号公報
【発明の開示】
【発明が解決しようとする課題】
【０００８】
従来の方法によると検出してから保護回路の動作が始まるので放電によるサージに対してどうしても遅れた対応にならざるを得ず、回路追加によるコスト増に見合った回路保護効果が得られず、実際にはＣＲＴ表示装置導入されていることはほとんどない。
【０００９】
また、管内放電が発生するたびに電源をオフしたり表示が消えたりといった動作を行うと使用者に故障の疑惑を抱かせることになり、願わくは管内放電発生時に破壊や誤動作もなく画面上もなんら異常がないようにしたいという課題があった。
【００１０】
また、根本的に放電によるサージ電流が外部回路に影響を与えないようにする手段としては前述したようにＣＲＴソケットのギャップにより放電させＣＲＴの外部導電膜に接地線によりサージ電流を逃がすといったものであったが接地線のインピーダンスにより外部回路のＧＮＤが変動させられるという問題があった。
【課題を解決するための手段】
【００１１】
そこで本発明によるＣＲＴ表示装置の管内放電による破壊・誤動作からの保護方法は管内放電を検出して保護回路を動作させるのではなく、管内放電によって生じた放電電流を他の回路に流れないようにしてそもそも外部回路に影響を与えないようにするものである。
【００１２】
尚且つ、従来のＣＲＴ接地線によるサージ対応方法ではなく外部回路に与える影響を極めて小さくするものである。
【００１３】
具体的にはＣＲＴおよび放電ギャップ付ＣＲＴソケットおよび外部回路および２種類のＣＲＴ接地線から構成され、従来の第１のグリッド（コントロールグリッド）や外部回路のＧＮＤを接続し、ＣＲＴのＧＮＤである外部導電膜に接続しているＣＲＴ接地線とは別に放電ギャップのＧＮＤを他のＧＮＤに一切接続せずに単独でＣＲＴの外部導電膜に別のＣＲＴ接地線で接続する。
【発明の効果】
【００１４】
本発明のよる管内放電対策を用いた場合、管内放電が発生しても外部回路の破壊や誤動作もなく画面上なんら異常が発生しないＣＲＴ表示装置を構成することができる。
【発明を実施するための最良の形態】
【００１５】
（実施の形態１）
本発明の実施の形態について図１を用いて説明する。
【００１６】
表示装置はＣＲＴ１０１及びＣＲＴソケット１０８および外部回路１２０および第１の接地線１０４および第２の接地線１０５から構成され、ＣＲＴ１０１はアノード１０２、外部導電膜１０３、第１のグリッド１０７、第１のグリッド１０７以外のグリッド（以下、第２のグリッドと記す）１０６から構成され、ＣＲＴソケット１０８は放電ギャップ１０９を有している。外部回路１２０には、入力された映像信号または音声信号を処理する信号処理回路や、ＣＲＴ２０１に映像を表示するための駆動回路も含まれる。
【００１７】
第２のグリッド１０７および外部回路１１０のＧＮＤは、第１の接地線１０４によりＣＲＴＧＮＤである外部導電膜に接続され、放電ギャップ１０９は、単独で第２の接地線１０５によりＣＲＴ外部導電膜に接続される。
【００１８】
図に示すようにアノード１０２から第２のグリッド１０６に対して管内放電が発生し、その電流はＣＲＴソケット１０８の放電ギャップ１０９で放電した後、速やかに第２の接地線１０５を通って外部導電膜１０３に流れる。その結果外部回路１１０は放電によるサージ電流により受ける影響を極めて小さくすることができる。
【産業上の利用可能性】
【００１９】
本発明にかかるＣＲＴ表示装置は、ＣＲＴ特有の高圧による管内放電により電子回路が誤動作や破壊することを防止し、内放電にが発生しても極めて影響を受けにくいという効果をを有し、ＣＲＴを用いたテレビ受像機等の用途に適用できる。
【図面の簡単な説明】
【００２０】
【図１】本発明の実施の形態１におけるＣＲＴ表示装置の構成を示す図
【図２】従来のＣＲＴ表示装置の構成を示す図
【符号の説明】
【００２１】
１０１    ＣＲＴ
１０２    アノード
１０３    外部導電膜（ＣＲＴＧＮＤ）
１０４    第１の接地線
１０５    第２の接地線
１０６    第２のグリッド
１０７    第１のグリッド
１０８    ＣＲＴソケット
１０９    放電ギャップＧＮＤ
１１０    外部回路
【図１】
2005057636.tif 000003
【図２】
2005057636.tif 000004